(57)【要約】無線ＴＤＭＡ通信システムを操作するための方法を開示する。この方法は、移動局の伝播遅延を監視するステップと、伝播遅延が所定の限度を超えたときに、タイム・スロット１単位だけＴｔａ１およびＴｔｂ１の一方または両方の値を変更するステップとを含み、先行する最後の受信タイム・スロットの終わりと次の最初の送信タイム・スロットの終わりの間でチャネル測定が実施されるときにＴｔａ１はそれらの間に許可される最小のタイム・スロットであり、Ｔｔｂ１は、先行する最後の受信タイム・スロットの終わりと次の最初の送信タイム・スロットの終わりの間に許可されるタイム・スロットの最小数である。
2004538666.tif 000002
【特許請求の範囲】
【請求項１】
無線ＴＤＭＡ通信システムを操作するための方法であって、
移動局の伝播遅延を監視するステップと、
伝播遅延が所定の限度を超えた場合、先行する最後の受信タイム・スロットの終わりと次の最初の送信タイム・スロットの終わりの間でチャネル測定が実施されるときにそれらの間に許可されるタイム・スロットの最小数を所定量だけ変更し、先行する最後の受信タイム・スロットの終わりと次の最初の送信タイム・スロットの終わりの間に許可されるタイム・スロットの最小数を変更するステップとを含む方法。
【請求項２】
所定量が１タイム・スロットである請求項１に記載の方法。
【請求項３】
変更するステップに応答して、それに従ってシステム資源割当てを訂正するステップをさらに含む請求項１に記載の方法。
【請求項４】
無線ＴＤＭＡ通信システムを操作するための方法であって、
基地局コントローラで移動局の伝播遅延を監視するステップと、
伝播遅延が所定の限度を超えたときに、タイム・スロット１単位だけＴｔａ１およびＴｔｂ１の一方または両方の値を変更するステップであって、先行する最後の受信タイム・スロットの終わりと次の最初の送信タイム・スロットの終わりの間でチャネル測定が実施されるときに、Ｔｔａ１はそれらの間に許可されるタイム・スロットの最小数であり、Ｔｔｂ１は、先行する最後の受信タイム・スロットの終わりと次の最初の送信タイム・スロットの終わりの間に許可されるタイム・スロットの最小数であるステップとを含む方法。
【請求項５】
無線ＴＤＭＡ通信システムであって、
基地トランシーバ局（ＢＴＳ）と、
前記ＢＴＳに結合されている基地局サブシステム（ＢＳＳ）と、
前記ＢＴＳのカバレッジ・エリア内で動作するためのトランシーバを備える少なくとも１つの移動局とを含み、
前記ＢＳＳが、移動局の伝播遅延を監視することによって動的マルチスロット・クラス・アルゴリズムを実行し、かつ、所定の限度を超える伝播遅延に応答して、先行する最後の受信タイム・スロットの終わりと次の最初の送信タイム・スロットの終わりの間で測定が実施されるときにそれらの間に許可されるタイム・スロットの最小数と、先行する最後の受信タイム・スロットの終わりと次の最初のタイム・スロットの終わりの間に許可されるタイム・スロットの最小数とを所定量だけ変更するためのデータ・プロセッサを備えるシステム。
【請求項６】
所定量が１タイム・スロットである請求項５に記載のシステム。
【請求項７】
前記ＢＳＳデータ・プロセッサが、所定の限度を超える伝播遅延に応答して、タイム・スロットの最小数の変更に従ってシステム資源割当てを訂正する請求項５に記載のシステム。
【請求項８】
移動局用タイミング・パラメータを導出するためにＴＤＭＡ基地局サブシステム（ＢＳＳ）が実行する方法であって、
移動局の伝播遅延を監視するステップと、
前の送信タイム・スロットの終わりと次の送信タイム・スロットの終わりの間でチャネル測定が実施されるときにそれらの間に許可されるタイム・スロットの最小数であるＴｔａ２の値と、先行する最後の送信タイム・スロットの終わりと、次の最初の送信タイム・スロットの終わりの間に許可されるタイム・スロットの最小数であるＴｔｂ２とを維持しながら、所定の限度を超える伝播遅延に応答して１タイム・スロットだけＴｔａ１とＴｔｂ１の値を増加させるステップであって、Ｔｔａ１は、先行する最後の受信タイム・スロットの終わりと次の最初の送信タイム・スロットの終わりの間でチャネル測定が実施されるときにそれらの間に許可されるタイム・スロットの最小数であり、Ｔｔｂ１は、先行する最後の受信タイム・スロットの終わりと次の最初の送信タイム・スロットの終わりの間に許可されるタイム・スロットの最小数であるステップと、
少なくともＴｔａ１とＴｔｂ１の値を移動局に記憶するために移動局に伝送するステップとを含む方法。
【請求項９】
無線ＴＤＭＡ通信システムを操作するための方法であって、
移動局の伝播遅延を監視するステップと、
伝播遅延が所定の限度を超えたときに、移動局の先行する最後の受信タイム・スロットの終わりと次の最初の送信タイム・スロットの終わりの間に許可されるタイム・スロットの最小数を所定量だけ変更するステップと
を含む方法。
【請求項１０】
先行する最後の受信タイム・スロットの終わりと次の最初の送信タイム・スロットの終わりの間でチャネル測定が実施される請求項９に記載の方法。
【請求項１１】
タイム・スロットの最小数の変更に従ってシステム資源を割り当てることを含む請求項９または１０に記載の方法。
【請求項１２】
無線ＴＤＭＡ通信システムであって、
基地局と、
少なくとも１つの移動局とを含み、
基地局が伝播遅延監視手段を含み、その出力が処理手段で所定値と比較され、その比較に応答して、移動局の先行する最後の受信タイム・スロットの終わりと次の最初の送信タイム・スロットの終わりの間に許可されるタイム・スロットの最小数を所定量だけ変更するための命令が移動局に送信されるシステム。
【請求項１３】
基地局が、比較に応答してシステム資源割当てを訂正する資源割当手段を含む請求項１２に記載のシステム。
【請求項１４】
フレーム内の複数のタイム・スロットで動作可能な移動局を含む無線ＴＤＭＡ通信システムを操作する方法であって、
移動局の伝播遅延が所定の限度を超えたときに、移動局の先行する最後の受信タイム・スロットの終わりと次の最初の送信タイム・スロットの終わりの間に許可されるタイム・スロット数が増加するように移動局の伝播遅延を監視することを含む方法。
【請求項１５】
先行する最後の受信タイム・スロットの終わりと次の最初のタイム・スロットの終わりの間でチャネル測定が実施される請求項１４に記載の方法。
【請求項１６】
フレーム内の複数のタイム・スロットで動作可能な移動局を含む無線ＴＤＭＡ通信システムを操作する方法であって、
移動局の伝播遅延を監視すること、および伝播遅延が所定の限度を超えたときに、タイム・スロット１単位だけＴｔａの値を変更することを含み、先行する最後の受信タイム・スロットの終わりと次の最初の送信タイム・スロットの終わりの間で測定が実行されるときにＴｔａはそれらの間に許可されるタイム・スロットの最小数である方法。
【請求項１７】
フレーム内の複数のタイム・スロット内で動作可能な移動局を含む無線ＴＤＭＡ通信システムを操作する方法であって、
移動局の伝播遅延を監視すること、および伝播遅延が所定の限度を超えたときに、タイム・スロット１単位だけＴｔｂの値を変更することを含み、Ｔｔｂは、先行する最後の受信タイム・スロットの終わりと次の最初の送信タイム・スロットの終わりの間に許可されるタイム・スロットの最小数である方法。
【請求項１８】
移動局が同時に送信と受信をすることを必要とされない請求項１６または１７に記載の方法。
【発明の詳細な説明】
【０００１】
本発明は、一般に、無線電話機および無線電話システムに関し、詳細には、時分割多元接続（ＴＤＭＡ）セルラ無線電話機すなわち移動局、ならびに無線通信システムおよびネットワークに関する。
【０００２】
少なくとも１つのＴＤＭＡ無線通信システムにおいて、アップリンクの、すなわち移動局（ＭＳ）から基地局（ＢＳ）への逆方向ＴＤＭＡフレームの開始は、ダウンリンクの、すなわち基地局から移動局への順方向ＴＤＭＡフレームの開始から３タイムスロットという固定期間だけ遅延する。タイミング繰り上げ（ＴＡ）パラメータによって補償される伝播遅延の追加後、図１に示す状態が得られる。
【０００３】
理解できるように、ＴＡの増加はＴｒｔ（受信の終わりから送信開始までの時間）の低減をもたらす。しかし、Ｔｒｔの低減により１つまたは複数の問題が発生する危険性がある。例えば、移動局がその取り扱いトランシーバ基地局すなわちＢＴＳから離れすぎていて、ＴＡが無線ネットワークで予想されるある最大値よりも大きくなる場合がある。汎欧州移動体通信規格（ＧＳＭ）ネットワークにおいて、この最大値は約３５ｋｍのセル半径に相当し、したがって、Ｔｒｔは予想される最小値よりも小さくなる場合がある。Ｔｒｔの最小値は、移動局とネットワークのマルチスロット機能を固定するために使用されるので、これは重要である。実際には、ＥＴＳＩから出版されている文書、「ＧＳＭ ０５．０２ ： Ｄｉｇｉｔａｌ ｃｅｌｌｕｌａｒ ｔｅｌｅｃｏｍｍｕｎｉｃａｔｉｏｎｓ ｓｙｓｔｅｍ （Ｐｈａｓｅ ２＋） ； Ｍｕｌｔｉｐｌｅｘｉｎｇ ａｎｄ ｍｕｌｔｉｐｌｅ ａｃｃｅｓｓ ｏｎ ｔｈｅ ｒａｄｉｏ ｐａｔｈ」から知られている通りであり、この文書には移動局（ＭＳ）がサポートする場合のマルチスロット機能に関して開示されている。あるＭＳに割り当てられる特定のタイム・スロットは、ＭＳのタイプ、提供されるサービス、隣接するセルの電力測定が必要かどうかによって異なる。ネットワークは、ＴＳ割当てに関する制限の全てを解消することができるまでは、前記の事項に関して決定しておく必要がある。
【０００４】
欧州電気通信標準化機構（ＥＴＳＩ）から出版されている、「ＧＳＭ ０５．０２ ： Ｄｉｇｉｔａｌ ｃｅｌｌｕｌａｒ ｔｅｌｅｃｏｍｍｕｎｉｃａｔｉｏｎ ｓｙｓｔｅｍ（Ｐｈａｓｅ ２＋）； Ｍｕｌｔｉｐｌｅｘｉｎｇ ａｎｄ ｍｕｌｔｉｐｌｅ ａｃｃｅｓｓ ｏｎ ｔｈｅ ｒａｄｉｏ ｐａｔｈ」と題する文書で規定されているように、２つのパラメータはＴｒｔに依存する。この２つのパラメータは以下の通りである。
【０００５】
Ｔｔａ：タイプ１の移動局（すなわち、同時に送受信する必要のない移動局）に関して、このパラメータは、先行する送信タイム・スロットまたは受信タイム・スロットの終わりと次の送信タイム・スロットの終わりの間で移動局がチャネル測定が実施されるときにそれらの間に許可されることになるタイムスロットの最小数を指定する。
【０００６】
Ｔｔｂ：タイプ１の移動局に関して、このパラメータは、最後の受信タイム・スロットの終わりと、最初の、次に送信されるタイム・スロットの終わりの間、または先行する送信タイム・スロットと次の送信タイム・スロットの間で周波数が変更されるとき、それらの間に許可されることになるタイムスロットの最小数を指定する。
【０００７】
これら２つのパラメータはタイムスロット数で指定される。したがって、ＴＡの大きさが十分な場合、（移動局の観点からみると）実効値を１タイム・スロットだけ減らすことができる。しかし、ＴＡは２タイムスロット値までは減らせないように限定されているので、ＴＡをそれだけ減らすことはできない。すなわち、セルの大きさは不十分である。
【０００８】
例えばタイプ１の移動局が、ＧＳＭ（３５ｋｍ）で規定されている最大セル半径より遠くに移動する場合、そのＴｒｔは、移動局が、ダウンリンク・バーストの受信後に割り当てられたアップリンク・バーストの若干の部分で送信不可能になる危険性があるところまで低減される。これはオーバーラッピング・ケースと呼ばれることがあり、その一例を以下の割当てと共に図２に示す。ネットワークが高速回線交換データ（ＨＳＣＳＤ）であり、非対称である図２の場合を想定すると、ダウンリンク・タイム・スロット２と３が使用され、アップリンクではタイム・スロット２が使用される。移動局がその取り扱いＢＴＳから十分に離れている場合、ＴＡが増加すると、アップリンク・バーストとダウンリンク・バーストのオーバーラップが生じる。したがって、タイプ１の移動局では１つのバーストが失われる。
【０００９】
他方、ＴＡの増加はＴｔｒの増加をもたらす。したがって、関連付けられたパラメータ（Ｔｔａ、Ｔｔｂ）から問題が生じることはない。これに関する参照資料としては、ＥＴＳＩから出版された前述の文書「ＧＳＭ ０５．０２ ： Ｄｉｇｉｔａｌ ｃｅｌｌｕｌａｒ ｔｅｌｅｃｏｍｍｕｎｉｃａｔｉｏｎ ｓｙｓｔｅｍ（Ｐｈａｓｅ ２＋）； Ｍｕｌｔｉｐｌｅｘｉｎｇ ａｎｄ ｍｕｌｔｉｐｌｅ ａｃｃｅｓｓ ｏｎ ｔｈｅ ｒａｄｉｏ ｐａｔｈ」がある。このパラメータの実効値は、移動局の観点からみると、予想される最小値よりも低下することはない。
【００１０】
従来技術では、連続するタイム・スロットでのトラフィックを禁じることによって、大きな半径のセルを取り扱うことが知られている。しかし、この技術は、影響される移動局にとってネットワークの機能を半分まで低下させる場合があり、ＨＳＣＳＤまたは汎用パケット無線システム（ＧＰＲＳ）などのマルチスロット動作はサポートしない。
【００１１】
したがって、本発明の第１の目的は、より長い伝播遅延から生じる問題を防止しながら、ＴＤＭＡシステムにおいてセルの半径を拡大する方法を提供することである。
本発明のもう１つの目的は、ＴＤＭＡネットワークの大きな半径のセル内で移動局に対応するために、少なくとも１つのタイミング・パラメータを修正する動的方法を提供することである。
【００１２】
パラメータの範囲を拡大することによってタイミング繰り上げ（ＴＡ）パラメータを修正する方法により、ＴＤＭＡを基礎とするシステムにおけるセルの半径を効果的に拡大するための方法が開示される。このタイミング繰り上げは、１つのタイム・スロットより大きく、２つのタイム・スロットより小さくすることができる。アップリンクとダウンリンクのオーバーラップは、受信の終わりから送信の開始までのタイムリミット要件を低減することによって防止される。従来のＧＳＭシステムと比較して、ＴＡパラメータが増加することを許可されるのと同じ点で、Ｔｒｔ値が低減されることが許可され、Ｔｒｔ値の最大の追加的な低減は１タイム・スロットである。より大きな半径を有するセルにおける伝播遅延の増大が基地局で監視されており、基地局内でチャネルをマッピングしているときにＴＡ値も考慮することができる。
【００１３】
例示的一実施形態において、ＧＳＭ４５０の場合を想定すると、セルの半径は従来のＧＳＭ半径（３５ｋｍ）よりも大きな場合がある。セル半径のこのような拡大に対処するために、実効範囲が拡大されるようタイミング繰り上げパラメータが変更される。しかし、タイミング繰り上げパラメータの範囲がより大きくなるので、ＴＤＭＡ移動局の動作は、アップリンク（逆方向リンク）とダウンリンク（順方向リンク）においてバーストがちょうどオーバーラップすることがあるような状態に悪影響を受ける場合がある。したがって、本発明の一態様は、移動局のマルチスロット機能を動的にするための技術を提供し、それによってこの問題を緩和または除去することにある。
【００１４】
無線ＴＤＭＡ通信システムを操作するための方法が開示される。この方法は、移動局の伝播遅延を監視するためのステップと、その伝播遅延が所定の限度を超えたときに、タイム・スロット１単位だけＴｔａ１およびＴｔｂ１の一方または両方の値を変更するステップとを含み、先行する最後の受信タイム・スロットの終わりと次の最初の送信タイム・スロットの終わりの間でチャネル測定が実施されるときに、Ｔｔａ１はそれらの間に許可されるタイム・スロットの最小数であり、Ｔｔｂ１は、先行する最後の受信タイム・スロットの終わりと次の最初の送信タイム・スロットの終わりの間に許可されるタイム・スロットの最小数である。
【００１５】
本発明の別の態様によると、無線ＴＤＭＡ通信システムを操作するための方法であって、
移動局の伝播遅延を監視するステップと、
その伝播遅延が所定の限度を超えるとき、移動局の先行する最後の受信タイム・スロットの終わりと次の最初の送信タイム・スロットの終わりの間に許可されているタイム・スロットの最小数を所定量だけ変更するステップとを含む方法が提供される。
【００１６】
本発明のさらに別の態様によると、無線ＴＤＭＡ通信システムであって、基地局と少なくとも１つの移動局を含み、基地局が伝播遅延監視手段を含み、その出力が処理手段で所定値と比較され、その比較に応答して、移動局の先行する最後の受信タイム・スロットの終わりと次の最初の送信タイム・スロットの終わりの間に許可されるタイム・スロットの最小数を所定量だけ変更するための命令が移動局に送信されるシステムが提供される。
【００１７】
本発明のさらに別の態様によると、フレーム内の複数のタイム・スロット内で動作可能な移動局を含む無線ＴＤＭＡ通信システムを操作する方法であって、移動局の伝播遅延が所定の限度を超えたときに、移動局の先行する最後の受信タイム・スロットの終わりと次の最初の送信タイム・スロットの終わりの間に許可されるタイム・スロット数が増加されるような、移動局の伝播遅延を監視することを含む方法が提供される。
先行する最後の受信タイム・スロットの終わりと次の最初の送信タイム・スロットの終わりの間に許可されるタイム・スロット数が少しでも増加すると、その結果、そのフレーム内の、移動局に割り当てるための使用可能なタイム・スロットの送信および受信の数はそれに相応して低減される。したがって、移動局へのスロットの割当ては、例えば高速回線交換データ（ＨＳＣＳＤ）または汎用パケット無線サービス（ＧＰＲＳ）などの現在のマルチスロット・サービスの要件に合致するのに十分なレベルで維持されることが望ましいが、そのフレーム内のサービスのために使用可能なスロットが所望の値よりも小さくなることがあり、この場合は、システム資源の割当てをネットワークごとに再検討しなければならないことになる。
【００１８】
本発明の別の態様によると、フレーム内の複数のタイム・スロット内で動作可能な移動局を含む無線ＴＤＭＡ通信システムを操作する方法であって、移動局の伝播遅延を監視すること、および伝播遅延が所定の限度を超えたときに、タイム・スロット１単位だけＴｔａおよびＴｔｂの一方または両方の値を変更することを含み、先行する最後の受信タイム・スロットの終わりと次の最初の送信タイム・スロットの終わりの間で測定が実行されるときにＴｔａはそれらの間に許可されるタイム・スロットの最小数であり、Ｔｔｂは、先行する最後の受信タイム・スロットの終わりと次の最初の送信タイム・スロットの終わりの間に許可されるタイム・スロットの最小数である方法が提供される。
本発明の上記およびそれ以外の特徴は、以下の「発明の詳細な説明」を添付の図面と併せ読むとより明らかになろう。
【００１９】
まず、限定的ではないが、本発明を実施するのに適したセルラ無線電話機またはパーソナル通報器などの無線ユーザ端末すなわち移動局１０を示す図３および４を参照する。移動局１０は、基地すなわち基地局３０と信号を送受信するためのアンテナ１２を含む。この基地局３０は、基地局サブシステム（ＢＳＳ）３０Ａ、ならびに基地トランシーバ局（ＢＴＳ）３０Ｂを含むと仮定する。簡約化のため、これら２つの構成要素は総合的に単純に基地局３０と呼ぶ。ＢＳＳ３０Ａは、複数のＢＴＳ３０Ｂに接続することができる。基地局３０は無線ネットワーク３２の一部であり、そのネットワークには移動交換局（ＭＳＣ）３４または類似の装置が含まれる。ＭＳＣ３４は、陸上中継線への接続を可能にする。
【００２０】
移動局には、モジュレータ（ＭＯＤ）１４Ａ、送信機１４、受信機１６、復調器（ＤＥＭＯＤ）１６Ａ、および、送信機１４と受信機１６に送受信するための信号をそれぞれに供給するコントローラ１８が含まれる。これらの信号は、適用可能なセルラ・システムのエア・インターフェース規格に従った信号送受情報と、さらには、ユーザの音声および／またはユーザの生成したデータを含む。エア・インターフェース規格は、本発明では、ＧＳＭから知られている、またはＧＳＭに類似の、ＴＤＭＡに基づくものと想定する。しかし、本発明の教示は、ＧＳＭタイプのＴＤＭＡシステムにのみ限定することを意図するものではない。ＧＳＭ移動局およびネットワークの一般的な事項に関しては、その全体を参照することによりその開示を本明細書に組み込む、１９９２年、Ｍｉｃｈｅｌ Ｍｏｕｌｙ ａｎｄ Ｍａｒｉｅ ？ Ｂｅｒｎａｄｅｔｔｅ Ｐａｕｔｅｔによる「Ｔｈｅ ＧＳＭ Ｓｙｓｔｅｍ ｆｏｒ Ｍｏｂｉｌｅ Ｃｏｍｍｕｎｉｃａｔｉｏｎｓ」を参照することができる。
【００２１】
コントローラ１８には、移動局のオーディオ機能と論理機能を実施するために必要となる回路も含まれることが理解されよう。例えば、コントローラ１８は、デジタル信号プロセッサ・デバイス、マイクロプロセッサ・デバイス、および様々なＡＤ変換器、Ｄ／Ａ変換器、ならびに他の支持回路から構成することができる。移動局の制御機能および信号処理機能は、これらのデバイスそれぞれの能力に応じてそれぞれの間に割り当てられる。
【００２２】
ユーザ・インターフェースには、従来型のイヤホンまたはスピーカ１７、従来型のマイクロフォン１９、ディスプレイ２０、および、ユーザ入力デバイス、代表的にはキーパッド２２が含まれ、これらはすべてコントローラ１８に結合されている。キーパッド２２には、従来型数字キー（０−９）と関連キー（＃、＊）２２ａ、および移動局１０を操作するために使用される他のキー２２ｂが含まれる。移動局１０は、移動局を操作するために必要となる様々な回路に電力を供給するための電池２６も含む。移動局１０は、総合してメモリ２４として示される様々なメモリも含む。このメモリには、移動局の動作中にコントローラ１８が使用する複数の定数と変数が記憶されている。基地局３０から移動局１０に送信される特定のＴＤＭＡタイミング関連パラメータは、本発明にとって最大の関心事であるが、通常は、コントローラ１８が使用するためにメモリ２４に記憶されている。移動局１０は車載デバイスまたはハンドヘルド・デバイスであってもよいということを理解されたい。移動局１０は、１つまたは複数のエア・インターフェース規格、変調タイプ、および接続タイプで操作することができ、したがって、二重（またはそれ以上の）モードのデバイスである場合があることをさらに理解されたい。
【００２３】
本発明の教示に従って、移動局１０に関連付けられたＴＡ値に基づいて、ＴｔａおよびＴｔｂの意味の少なくとも一部を調整するための技術が提供される。これら２つのパラメータの調整は、関連付けられた移動局１０に関するＴＤＭＡフレーム上のマッピングを変更して、基地局３０、具体的にはＢＳＳ３０Ａになる。
【００２４】
クラスマークを変更する上での動的マッピング機構は既に存在しており、刊行物「ＧＳＭ ０４．０８ ： Ｄｉｇｉｔａｌ ｃｅｌｌｕｌａｒ ｔｅｌｅｃｏｍｍｕｎｉｃａｔｉｏｎ ｓｙｓｔｅｍ（Ｐｈａｓｅ ２＋）； Ｍｏｂｉｌｅ ｒａｄｉｏ ｉｎｔｅｒｆａｃｅ ｌａｙｅｒ ３ ｓｐｅｃｉｆｉｃａｔｉｏｎ」では「クラス・マーク変更手順」と呼ばれる。しかし、この場合、変更は移動局１０によっては開始されず、基地局３０、具体的にはＢＳＳ３０Ａ部分のデータ・プロセッサによって開始される。このプロセッサは、発生する危険性のある問題を検出するためにＴＡの値を監視する。
【００２５】
本発明の教示により、ＴＡの値がある限度を超え始めると、ＴｔａおよびＴｔｂの定義の次の部分がＢＳＳ３０Ａ内で変更される。
Ｔｔａの場合、ＢＳＳ３０Ａは、その意味の一部だけ、すなわち、前の受信タイム・スロットの終わりと次の送信タイム・スロットの終わりの間でチャネル測定が実施されるときにそれらの間に許可されるタイム・スロットの最小値を考慮する。
Ｔｔｂの場合、ＢＳＳ３０Ａは、その意味の一部だけ、すなわち、先行する最後の受信タイム・スロットの終わりと次の最初の送信タイム・スロットの終わりの間に許可されるタイム・スロットの最小値を考慮する。
【００２６】
ＴｔａおよびＴｔｂのそれらの考慮される要素は、前述の問題（すなわち、ＴＡが増加したときのＴｒｔの低下）によって最も直接的に影響される要素であるということが理解できる。一般に、ＴＡパラメータの変更は、移動局１０による連続的な送信を取り扱うＴｔａおよびＴｔｂというそれらの要素に影響を与えるものではない。
【００２７】
本発明の教示の要約により、Ｔｔａ１は、前の受信タイム・スロットの終わりと次の送信タイム・スロットの終わりの間でチャネル測定が実施されるときにそれらの間に許可されるタイム・スロットの最小数である。Ｔｔａ２は、前の送信タイム・スロットの終わりと次の送信タイム・スロットの終わりの間でチャネル測定が実施されるときにそれらの間に許可されるタイム・スロットの最小数である。Ｔｔｂ１は、最後の受信タイム・スロットの終わりと次の最初の送信タイム・スロットの終わりの間に許可されるタイム・スロットの最小数である。Ｔｔｂ２は、先行する最後の送信タイム・スロットの終わりと次の最初の送信タイム・スロットの終わりの間に許可されるタイム・スロットの最小数である。
【００２８】
ＴＡは、ＢＳＳ３０Ａによって、伝播遅延を連続的に監視することによって計算することが好ましい。このことに関しては、「ＧＳＭ ０５．１０ ： Ｄｉｇｉｔａｌ ｃｅｌｌｕｌａｒ ｔｅｌｅｃｏｍｍｕｎｉｃａｔｉｏｎ （Ｐｈａｓｅ ２＋）； Ｒａｄｉｏ Ｓｕｂｓｙｓｔｅｍ Ｓｙｎｃｈｒｏｎｉｚａｔｉｏｎ」と題する刊行物を参照することができる。したがって、本発明の教示は、伝播遅延も同様に監視するアルゴリズムを追加する。
【００２９】
図５に、本発明によるＢＳＳ３０Ａによって実行される「動的マルチスロット・クラス・アルゴリズム」の例示的実施形態を示す。移動局１０を監視中（ステップＡ）、移動局１０からの伝播遅延が所定の限度を超えたことが発見され（例えば、１２０μｓ←→２４０μｓのＴＡ←→セル半径３５ｋｍ）、Ｔｔａ１とＴｔｂ１は、移動局１０の現在地における増大したＴＡを補償するためにタイム・スロット１単位だけ増加され（ステップＢ）、その後、ＢＳＳ３０Ａは、Ｔｔａ１およびＴｔｂ１の少なくとも訂正された値を、移動局のメモリ２４に記憶するために移動局１０に送信させる。そうでない場合、Ｔｔａ１およびＴｔｂ１は、それぞれＴｔａおよびＴｔｂと等しいままである（ステップＣ）。その結果、ＢＳＳ３０Ａは、新しい要件を満たし、したがって、システム資源の動的割当てを実現するために、チャネルのマッピングを再度調べることもできる（ステップＤ）。ＨＳＣＳＤおよびＧＰＲＳの場合、新しい要件によって、例えばオーバーラップする可能性のあるタイム・スロットを解放し、かつ／または訂正された、より厳しいタイミング・スケジュールのために送受信ができないタイム・スロットを解放するなど、資源割り当ての再検討が生じる場合がある。
【００３０】
所定の限度より低い場合、前述のパラメータの意味は、従来のＧＳＭネットワークにおける意味のままである（ステップＣ）。したがって、移動局１０は、その取り扱いＢＴＳ３０Ｂからあるしきい値の距離に置かれたとき、すなわち、移動局のＴＡがある所定の限度を超えたときだけ、ＴｔａとＴｔｂの異なる解釈が活動化されることが好ましい。一般に、ＴｔａとＴｔｂの変更は、新しい割り当ての開始のトリガとして機能する。
【００３１】
以上、好ましい実施形態に関して説明したが、これらの教示にはいくつもの修正形態を実施することができることを当業者には理解されたい。さらに、前述の通り、本発明の教示は、ＧＳＭネットワークおよびシステムではなく、他のタイプのＴＤＭＡネットワークおよびシステムに適用することもできる。
したがって、本発明は、その好ましい実施形態に関して具体的に示し、かつ説明したが、当業者には、本発明の範囲および趣旨から逸脱することなく、態様および詳細部の変更を行うことができることが理解されよう。
【図面の簡単な説明】
【図１】
従来のダウンリンクおよびアップリンクＴＤＭＡタイム・スロット、さらにタイミング繰り上げ（ＴＡ）と関連するパラメータを示す図である。
【図２】
周知のオーバーラップ問題の影響を示す図である。
【図３】
本発明の教示によるＴＤＭＡシステムで使用するに適した移動局の実施形態を示すブロック図である。
【図４】
図３に示した移動局の立面図と、さらに移動局がＲＦリンクを介して双方向に結合された無線通信システムを示す図である。
【図５】
本発明の教示による動的マルチスロット・クラス・アルゴリズムを示す図である。
【図１】
2004538666.tif 000003
【図２】
2004538666.tif 000004
【図３】
2004538666.tif 000005
【図４】
2004538666.tif 000006
【図５】
2004538666.tif 000007
【国際公開パンフレット】
2004538666.tif 000008
2004538666.tif 000009
2004538666.tif 000010
2004538666.tif 000011
2004538666.tif 000012
2004538666.tif 000013
2004538666.tif 000014
2004538666.tif 000015
2004538666.tif 000016
2004538666.tif 000017
2004538666.tif 000018
2004538666.tif 000019
2004538666.tif 000020
2004538666.tif 000021
2004538666.tif 000022
2004538666.tif 000023
2004538666.tif 000024
2004538666.tif 000025
2004538666.tif 000026
2004538666.tif 000027
2004538666.tif 000028
2004538666.tif 000029
2004538666.tif 000030
2004538666.tif 000031
2004538666.tif 000032
【手続補正書】
【提出日】平成13年6月1日(2001.6.1)
【手続補正１】
【補正対象書類名】明細書
【補正対象項目名】特許請求の範囲
【補正方法】変更
【補正の内容】
【特許請求の範囲】
【請求項１】
無線ＴＤＭＡ通信システム（１０、３２）を操作するための方法であって、基地局（３０）で移動局（１０）の伝播遅延を監視するステップと、タイム・スロット割当てを変更するステップとを含み、
タイム・スロット割当てを変更するステップが、前記移動局のためのパラメータＴｔａおよびＴｔｂの定義を少なくとも一部再定義するステップを含み、Ｔｔａは、先行する送信タイム・スロットまたは先行する受信タイム・スロットの終わりと、次の送信タイム・スロットの終わりの間で、移動局によってチャネル測定が実施されるときにそれらの間に許可されるタイムスロットの最小数を指定し、Ｔｔｂは、最後の受信タイム・スロットの終わりと次の最初の送信タイム・スロットの終わりの間に、または先行する送信タイム・スロットと次の送信タイム・スロットの間で周波数が変更されるときはそれらの間に許可されるタイムスロットの最小数を指定し、前記定義が、
Ｔｔａが、２つのパラメータ、すなわち、先行する受信タイム・スロットの終わりと次の送信タイム・スロットの終わりの間で移動局によってチャネル測定が実施されるときにそれらの間に許可されるタイムスロットの最小数を指定するＴｔａ１と、先行する送信タイム・スロットの終わりと次の送信タイム・スロットの終わりの間で移動局によってチャネル測定が実施されるときにそれらの間に許可されるタイムスロットの最小数を指定するＴｔａ２とから構成され、
また、Ｔｔｂが、２つのパラメータ、すなわち、先行する受信タイム・スロットの終わりと次の送信タイム・スロットの終わりの間に許可されるタイム・スロットの最小数を指定するＴｔｂ１と、先行する送信タイム・スロット終わりと次の送信タイム・スロットの終わりの間に許可されるタイム・スロットの最小数を指定するＴｔｂ２とから構成されるように再定義され、
再定義するステップが、Ｔｔａ１とＴｔｂ１の一方または両方の値をタイム・スロット１単位だけ変更することをさらに含むことを特徴とする方法。
【請求項２】
タイム・スロット１単位が１タイム・スロットから構成される請求項１に記載の方法。
【請求項３】
所定の限度を超える伝播遅延に応答して、Ｔｔａ１とＴｔｂ１の一方または両方の値の変更に従ってシステム資源割当てをさらに訂正する請求項１に記載の方法。
【請求項４】
移動局がマルチスロット機能を有し、１つのＴＤＭＡフレーム内の複数のタイムスロット中に受信する請求項１に記載の方法。
【請求項５】
移動局が高速回路交換データ機能を有し、１つのＴＤＭＡフレーム内の複数のタイムスロット中に受信する請求項１に記載の方法。
【請求項６】
移動局が汎用パケット無線システム機能を有し、１つのＴＤＭＡフレーム内の複数のタイムスロット中に受信する請求項１に記載の方法。
【請求項７】
Ｔｔａ１とＴｔｂ１の一方または両方の値の変更が前記移動局に送信され、前記移動局内に記憶される請求項１に記載の方法。
【請求項８】
無線ＴＤＭＡ通信システム（１０、３２）であって、移動局（１０）と、前記移動局の伝播遅延を監視するための手段およびタイム・スロット割当てを変更するための手段を備える基地局（３０）とを含み、
前記手段が、前記移動局のためのパラメータＴｔａおよびＴｔｂの定義を少なくとも一部再定義するための所定の限度を超える伝播遅延に応答し、Ｔｔａは、先行する送信タイム・スロットまたは先行する受信タイム・スロットの終わりと、次の送信タイム・スロットの終わりの間で、移動局によってチャネル測定が実施されるときにそれらの間に許可されるタイムスロットの最小数を指定し、Ｔｔｂは、最後の受信タイム・スロットの終わりと次の最初の送信タイム・スロットの終わりの間に、または先行する送信タイム・スロットと次の送信タイム・スロットの間で周波数が変更されるときはそれらの間に許可されるタイムスロットの最小数を指定し、前記定義が、
Ｔｔａが、２つのパラメータ、すなわち、先行する受信タイム・スロットの終わりと次の送信タイム・スロットの終わりの間で移動局によってチャネル測定が実施されるときにそれらの間に許可されるタイムスロットの最小数を指定するＴｔａ１と、先行する送信タイム・スロットの終わりと次の送信タイム・スロットの終わりの間で移動局によってチャネル測定が実施されるときにそれらの間に許可されるタイムスロットの最小数を指定するＴｔａ２とから構成され、
また、Ｔｔｂが、２つのパラメータ、すなわち、先行する受信タイム・スロットの終わりと次の送信タイム・スロットの終わりの間に許可されるタイム・スロットの最小数を指定するＴｔｂ１と、先行する送信タイム・スロットの終わりと次の送信タイム・スロットの終わりの間に許可されるタイム・スロットの最小数を指定するＴｔｂ２とから構成されるように再定義され、
前記手段が、Ｔｔａ１とＴｔｂ１の一方または両方の値をタイム・スロット１単位だけ変更することを特徴とするシステム。
【請求項９】
タイム・スロット１単位が１タイム・スロットから構成される請求項８に記載の無線ＴＤＭＡ通信システム。
【請求項１０】
前記手段が、所定の限度を超える伝播遅延に応答して、Ｔｔａ１とＴｔｂ１の一方または両方の値の変更に従ってシステム資源割当てをさらに訂正するように適合される請求項８に記載の無線ＴＤＭＡ通信システム。
【請求項１１】
移動局がマルチスロット機能を有し、１つのＴＤＭＡフレーム内の複数のタイムスロット中に受信する請求項８に記載の無線ＴＤＭＡ通信システム。
【請求項１２】
移動局が高速回路交換データ機能を有し、１つのＴＤＭＡフレーム内の複数のタイムスロット中に受信する請求項８に記載の無線ＴＤＭＡ通信システム。
【請求項１３】
移動局が汎用パケット無線システム機能を有し、１つのＴＤＭＡフレーム内の複数のタイムスロット中に受信する請求項８に記載の無線ＴＤＭＡ通信システム。
【請求項１４】
Ｔｔａ１とＴｔｂ１の一方または両方の変更が移動局に送信され、前記移動局のメモリ（２４）に記憶される請求項８に記載の無線ＴＤＭＡ通信システム。
【手続補正２】
【補正対象書類名】明細書
【補正対象項目名】００１０
【補正方法】変更
【補正の内容】
【００１０】
従来技術では、連続するタイム・スロットでのトラフィックを禁じることによって、大きな半径のセルを取り扱うことが知られている。しかし、この技術は、影響される移動局にとってネットワークの機能を半分まで低下させる場合があり、ＨＳＣＳＤまたは汎用パケット無線システム（ＧＰＲＳ）などのマルチスロット動作はサポートしない。
ＷＯ９８／１５１４７は、ＴＤＭＡポータブル電話ユニットのデュアル・モード操作のための方法を記述する。第１の形態は、７５ｋｍまでの範囲を介した通信用に使用される。第２の形態は、７５ｋｍを超える通信用に使用される。これらの形態は、第２の形態では、第１の形態におけるよりも大きく、フレーム構造内で送信タイムスロットが後のタイム・スロットの方に移動される点で異なる。


【手続補正３】
【補正対象書類名】明細書
【補正対象項目名】００２０
【補正方法】変更
【補正の内容】
【００２０】
移動局には、モジュレータ（ＭＯＤ）１４Ａ、送信機１４、受信機１６、復調器（ＤＥＭＯＤ）１６Ａ、および、送信機１４と受信機１６に送受信するための信号をそれぞれに供給するコントローラ１８が含まれる。これらの信号は、適用可能なセルラ・システムのエア・インターフェース規格に従った信号送受情報と、さらには、ユーザの音声および／またはユーザの生成したデータを含む。エア・インターフェース規格は、本発明では、ＧＳＭから知られている、またはＧＳＭに類似の、ＴＤＭＡに基づくものと想定する。しかし、本発明の教示は、ＧＳＭタイプのＴＤＭＡシステムにのみ限定することを意図するものではない。ＧＳＭ移動局およびネットワークの一般的な事項に関しては、１９９２年、Ｍｉｃｈｅｌ Ｍｏｕｌｙ ａｎｄ Ｍａｒｉｅ ？ Ｂｅｒｎａｄｅｔｔｅ Ｐａｕｔｅｔによる「Ｔｈｅ ＧＳＭ Ｓｙｓｔｅｍ ｆｏｒ Ｍｏｂｉｌｅ Ｃｏｍｍｕｎｉｃａｔｉｏｎｓ」を参照することができる。


【手続補正４】
【補正対象書類名】明細書
【補正対象項目名】００３１
【補正方法】変更
【補正の内容】
【００３１】
以上、好ましい実施形態に関して説明したが、これらの教示にはいくつもの修正形態を実施することができることを当業者には理解されたい。さらに、前述の通り、本発明の教示は、ＧＳＭネットワークおよびシステムではなく、他のタイプのＴＤＭＡネットワークおよびシステムに適用することもできる。




【国際調査報告】
2004538666.tif 000033
2004538666.tif 000034